(57)【特許請求の範囲】
【請求項１】
所定の無線アクセス方式において通信サービスオペレータが提供するネットワークサービスに関して、位置登録によって上記無線アクセス方式に対応したネットワークに接続し、制御部により音声信号またはデータ信号の送受信を行なう携帯電話端末であって、
上記制御部が、上記無線アクセス方式が共通する複数の通信サービスオペレータが要求する端末／ネットワークサービスに対応して必要とされる複数の機能を備えており、
上記制御部が、上記無線アクセス方式に対応した接続すべきネットワークの認識番号を認識して、この認識番号に基づいて、当該認識番号によりネットワークサービスを提供する通信サービスオペレータを判別し、当該通信サービスオペレータに対応して各機能を有効または無効にする
ことを特徴とする携帯電話端末。
【請求項２】
上記制御部が、携帯電話端末の電源オン時に、まずネットワークに接続して位置登録を行なった後に、ネットワークの認識番号の認識を行なうことを特徴とする請求項１に記載の携帯電話端末。
【請求項３】
上記制御部が、携帯電話端末の電源オン時に、まずネットワークの認識番号の認識を行なった後に、ネットワークに接続して位置登録を行なうことを特徴とする請求項１に記載の携帯電話端末。
【請求項４】
上記制御部が、ネットワークを切り替えたときに、新たなネットワークの認識番号を認識して、この認識番号に基づいて、当該ネットワークに対応して各機能を有効または無効にすることを特徴とする請求項１〜３のいずれかに記載の携帯電話端末。
【請求項５】
上記制御部が、ネットワークの認識番号を認識できないとき、使用者の操作にしたがって、当該ネットワークに対応して各機能を有効または無効にすることを特徴とする請求項１〜４のいずれかに記載の携帯電話端末。
【請求項６】
所定の無線アクセス方式において通信サービスオペレータが提供するネットワークサービスに関して、位置登録によって上記無線アクセス方式に対応したネットワークに接続し、制御部により音声信号またはデータ信号の送受信を行なう携帯電話端末であって、
上記無線アクセス方式が共通する複数の通信サービスオペレータが要求する端末／ネットワークサービスに対応して必要とされる複数の機能を制御部に前もって備えており、
上記制御部が、上記無線アクセス方式に対応した接続すべきネットワークの認識番号を認識したとき、この認識番号に基づいて、当該認識番号によりネットワークサービスを提供する通信サービスオペレータを判別し、当該通信サービスオペレータに対応して各機能を有効または無効にする
ことを特徴とする携帯電話端末のカスタマイズ方法。
【発明の詳細な説明】
【０００１】
【発明の属する技術分野】
本発明は、携帯電話端末に関し、複数の通信サービスオペレータが要求する端末およびネットワークのサービスのための機能を必要に応じてカスタマイズするための技術に関する。
【０００２】
【従来の技術】
従来、種々の通信サービスオペレータにより、複数の携帯電話サービスが提供されている。そして、各通信サービスオペレータは、他の通信サービスオペレータが提供する携帯電話サービスとの差別化を図るために、独自のサービスを提供するようになってきている。
したがって、携帯電話端末は、各通信サービスオペレータ毎に、それぞれ独自のサービスを受けるために必要な機能を備えるように仕様が決定され、製造されている。そして、このような携帯電話端末は、それぞれ各通信サービスオペレータが自社が提供する携帯電話サービスのための専用の携帯電話端末として販売するようになっている。
【０００３】
【発明が解決しようとする課題】
ところで、携帯電話端末のメーカは、それぞれ各通信サービスオペレータが要求する端末およびネットワークサービスを亨受するために必要な機能を備えた製品を、各通信サービスオペレータ毎に、生産する必要があるため、製品の種類が増大し、開発および生産に要するコストが高くなってしまう。
【０００４】
また、各通信サービスオペレータが提供する携帯電話サービスにおいて、例えば無線アクセス方式が同じであっても、ある通信サービスオペレータは、Ａという標準に準拠したサービスを提供し、別の通信サービスオペレータは、Ｂという標準に準拠したサービスを提供する、というように、各通信サービスオペレータが提供する端末およびネットワークサービス自体が相互に異なる。
【０００５】
したがって、双方の通信サービスオペレータに対応できるように、双方のサービスＡ，Ｂに対応する機能を有するアプリケーションを開発して、携帯電話端末に搭載したとしても、各サービスＡ，Ｂを亨受するための機能を、どのようにして携帯電話端末にて切り替えて起動すればよいか、判別することができず、実際上は、各サービスＡ，Ｂを亨受することが困難であった。
【０００６】
さらに、携帯電話端末においては、その操作性に関して通信サービスオペレータ毎に要求が異なる場合がある。このため、操作性に関しても各通信サービスオペレータ毎に携帯電話端末を開発する必要があり、同様にして、携帯電話端末の製品の種類が増大し、開発および生産に要するコストが高くなってしまう。
【０００７】
本発明は、上記の問題を解決すべくなされたものであり、複数の通信サービスオペレータが要求する端末およびネットワークサービスに対応してカスタマイズできるようにした携帯電話端末およびそのカスタマイズ方法の提供を目的とする。
【０００８】
【課題を解決するための手段】
この目的を達成するため、本発明の携帯電話端末は、所定の無線アクセス方式において通信サービスオペレータが提供するネットワークサービスに関して、位置登録によって上記無線アクセス方式に対応したネットワークに接続し、制御部により音声信号またはデータ信号の送受信を行なう携帯電話端末であって、上記制御部が、上記無線アクセス方式が共通する複数の通信サービスオペレータが要求する端末／ネットワークサービスに対応して必要とされる機能を備えており、上記制御部が、上記無線アクセス方式に対応した接続すべきネットワークの認識番号を認識して、この認識番号に基づいて、当該ネットワークに対応して各機能を有効または無効にする構成としてある。
【０００９】
携帯電話端末をこのような構成とすると、本携帯電話端末をある通信サービスオペレータが提供する携帯電話サービスで使用する場合には、制御部が、接続すべきネットワークの認識番号を認識し、この認識番号に基づいて、当該携帯電話サービスのネットワークに対応して各機能を有効または無効にすることにより、当該携帯電話サービスで必要な機能のみを有効にする。これにより、本携帯電話端末を、当該通信サービスオペレータが要求する端末／ネットワークサービスに対応して必要とされる機能を備えた、携帯電話端末にカスタマイズすることができる。
【００１０】
その際、携帯電話端末の制御部に、あらかじめ複数の通信サービスオペレータが要求する端末／ネットワークサービスに対応して必要とされる機能を備えているので、一種類の携帯電話端末を用意しておくことにより、これらの複数の通信サービスオペレータによる携帯電話サービスのための携帯電話端末を提供することができる。
したがって、複数の通信サービスオペレータが提供する携帯電話サービスで使用するための携帯電話端末の種類が低減されるので、携帯電話端末の開発コスト，製造コストが低減されることになる。
【００１１】
また、本発明の携帯電話端末は、上記制御部が、携帯電話端末の電源オン時に、まずネットワークに接続して位置登録を行なった後に、ネットワークの認識番号の認識を行なう構成としてある。
携帯電話端末をこのような構成とすると、電源オン時に、携帯電話端末自体が、自動的に位置登録およびネットワークの認識番号の認識を行なうことにより、使用者は、自分が契約している通信サービスオペレータが提供する携帯電話サービスを利用することができる。
【００１２】
また、本発明の携帯電話端末は、上記制御部が、携帯電話端末の電源オン時に、まずネットワークの認識番号の認識を行なった後に、ネットワークに接続して位置登録を行なう構成としてある。
携帯電話端末をこのような構成とすると、電源オン時に、携帯電話端末自体が、自動的に位置登録およびネットワークの認識番号の認識を行なうことにより、使用者は、自分が契約している通信サービスオペレータが提供する携帯電話サービスを利用することができる。さらに、ネットワークの認識番号の認識を行なった後に、ネットワークへの位置登録を行なうので、通信サービスオペレータが要求する端末サービスに対応する機能を位置登録の際に必要なシーケンスにおいて当該通信サービスオペレータ固有の端末機能を有効にして、この端末機能を利用することができる。
【００１３】
また、本発明の携帯電話端末は、上記制御部が、ネットワークを切り替えたときに、新たなネットワークの認識番号を認識して、この認識番号に基づいて、当該ネットワークに対応して各機能を有効または無効にする構成としてある。
携帯電話端末をこのような構成とすると、使用者が通信サービスオペレータが提供する携帯電話サービスのネットワークを切り替えたい場合、制御部が、新たなネットワークの認識番号を認識して、当該携帯電話サービスで必要な機能のみを有効にする。これにより、本携帯電話端末を、切り替え後の通信サービスオペレータが要求する端末／ネットワークサービスに対応して必要とされる機能を備えた、携帯電話端末とすることができる。
【００１４】
また、本発明の携帯電話端末は、上記制御部が、ネットワークの認識番号を認識できないとき、使用者の操作にしたがって、当該ネットワークに対応して各機能を有効または無効にする構成としてある。
携帯電話端末をこのような構成とすると、制御部が自動的にネットワークの認識番号を認識できない場合には、使用者が手動で携帯電話端末の入力部を操作することにより、制御部は、この操作にしたがって当該ネットワークに必要な機能のみを有効にする。これにより、本携帯電話端末を、当該通信サービスオペレータが要求する端末／ネットワークサービスに対応して必要とされる機能を備えた、携帯電話端末とすることができる。
【００１５】
また、この目的を達成するため、本発明の携帯電話端末のカスタマイズ方法は、所定の無線アクセス方式において通信サービスオペレータが提供するネットワークサービスに関して、位置登録によって上記無線アクセス方式に対応したネットワークに接続し、制御部により音声信号またはデータ信号の送受信を行なう携帯電話端末であって、上記無線アクセス方式が共通する複数の通信サービスオペレータが要求する端末／ネットワークサービスに対応して必要とされる機能を制御部に前もって備えており、上記制御部が、上記無線アクセス方式に対応した接続すべきネットワークの認識番号を認識したとき、この認識番号に基づいて、各機能を有効または無効にする構成としてある。
【００１６】
携帯電話端末のカスタマイズ方法をこのような構成とすると、携帯電話端末をある通信サービスオペレータが提供する携帯電話サービスで使用する場合には、制御部により接続すべきネットワークの認識番号を認識して、この認識番号に基づいて、当該携帯電話サービスのネットワークに対応して各機能を有効または無効にすることにより、当該携帯電話サービスで必要な機能のみを有効にする。これにより、本携帯電話端末を、当該通信サービスオペレータが要求する端末／ネットワークサービスに対応して必要とされる機能を備えた、携帯電話端末とすることができる。
【００１７】
その際、携帯電話端末の制御部に、あらかじめ複数の通信サービスオペレータが要求する端末／ネットワークサービスに対応して必要とされる機能を備えているので、一種類の携帯電話端末を用意しておくことにより、これらの複数の通信サービスオペレータによる携帯電話サービスのための携帯電話端末を提供することができる。
したがって、複数の通信サービスオペレータが提供する携帯電話サービスで使用するための携帯電話端末の種類が低減されるので、携帯電話端末の開発コスト，製造コストが低減されることになる。
【００１８】
【発明の実施の形態】
以下、本発明の実施の形態について、図面を参照して説明する。
まず、本発明の携帯電話端末の一実施形態について、図１を参照して説明する。
図１は、本実施形態による携帯電話端末の構成を示すブロック図である。
【００１９】
図１に示すように、携帯電話端末１０は、キー操作部２０，マイク３０，スピーカ４０，ディスプレイ５０，送受信部６０，アンテナ７０および制御部８０から構成されている。
【００２０】
上記キー操作部２０は、複数個の操作キー（図示せず）から構成されており、使用者が手指にていずれか一つまたは複数個のキーを操作することにより、所定の操作を行なうことができるようになっている。
【００２１】
上記マイク３０は、使用者の音声を入力し、音声信号に変換するものであり、送話部として機能するようになっている。
上記スピーカ４０は、送信されてきた音声信号を音声に変換するものであり、受話部として機能するようになっている。
【００２２】
上記ディスプレイ５０は、例えば液晶ドットマトリックス式ディスプレイとして構成されており、各種表示を行なうようになっている。
【００２３】
上記送受信部６０は、アンテナ７０を介して、通信サービスオペレータ９０が提供する携帯電話サービスのネットワーク、例えばＰＬＭＮ（Ｐｕｂｌｉｃ  Ｌａｎｄ  Ｍｏｂｉｌｅ  Ｎｅｔｗｏｒｋ＝公共地上モバイルネットワーク）に接続して、音声信号やデータ信号の送受信を行なうことにより、通話またはデータ通信を行なうものである。
なお、図１には、通信サービスオペレータ９０は、一つのみが示されているが、実際には複数の通信サービスオペレータ９０があって、それぞれ携帯電話サービスを提供するためのネットワークを構築している。
【００２４】
上記制御部８０は、従来の携帯電話端末における制御部と同様にして、上述したキー操作部２０，マイク３０，スピーカ４０，ディスプレイ５０および送受信部６０を駆動制御することにより、通信サービスオペレータ９０が提供する携帯電話サービスのネットワークＰＬＭＮを利用して、位置登録や発信および受信、そして通話およびデータ通信を行なうようになっている。
【００２５】
さらに、上記制御部８０は、本発明に基づいて、複数の通信サービスオペレータが要求する端末／ネットワークサービスに対応して必要とされる複数の機能を備えている。
このような機能は、例えばＨＭＩ（Ｈｕｍａｎ  Ｍａｃｈｉｎｅ  Ｉｎｔｅｒｆａｃｅ）や、無線パラメータの組合せ、あるいは、例えばブラウザ，通信プロトコル等のアプリケーションである。
そして、上記制御部８０は、これらの機能をそれぞれ個別に有効または無効にすることができるようになっている。
【００２６】
また、上記制御部８０は、通信サービスオペレータ９０が提供する携帯電話サービスのネットワークＰＬＭＮに接続したとき、当該ネットワークに割り当てられた認識番号ＰＬＭＮｉｄｅｎｔｉｔｙ９１を認識して、この認識番号９１により携帯電話サービスを提供する通信サービスオペレータ９０を判別し、当該通信サービスオペレータ９０に対応して、各機能を有効または無効にするようになっている。
なお、制御部８０は、前もって接続すべき複数の通信サービスオペレータ９０が提供する携帯電話サービスのネットワークの認識番号ＰＬＭＮｉｄｅｎｔｉｔｙ９１が登録されている。
【００２７】
次に、本実施形態の携帯電話端末１０の動作について、図２〜図４を参照して説明する。
携帯電話端末１０は、図２に示す電源オン時の自動機能有効化作業，図３に示すネットワーク切り替え時の自動機能有効化作業および図４に示す手動による機能有効化作業の各ステップで利用される。
【００２８】
まず、電源オン時の自動機能有効化作業について、図２を参照して説明する。
図２において、符号Ａ１で示すように、使用者がキー操作部２０を操作することにより、携帯電話端末１０の電源がオンされる。
これにより、携帯電話端末１０の制御部８０は、符号Ａ２で示すように、登録されている複数のネットワークの認識番号ＰＬＭＮｉｄｅｎｔｉｔｙ９１のうち、一つの認識番号ＰＬＭＮｉｄｅｎｔｉｔｙ９１を選択する。
続いて、制御部８０は、符号Ａ３で示すように、送受信部６０を制御して、アンテナ７０を介して、当該認識番号ＰＬＭＮｉｄｅｎｔｉｔｙ９１に対応する携帯電話サービスのネットワークをサーチする。
【００２９】
ここで、制御部８０は、当該認識番号ＰＬＭＮｉｄｅｎｔｉｔｙ９１に対応する携帯電話サービスのネットワークが見つからなかった場合には、再び符号Ａ２で示すように、新たな認識番号ＰＬＭＮｉｄｅｎｔｉｔｙ９１を選択して、この認識番号ＰＬＭＮｉｄｅｎｔｉｔｙ９１に対応する携帯電話サービスのネットワークのサーチを繰り返す。
【００３０】
そして、制御部８０は、当該認識番号ＰＬＭＮｉｄｅｎｔｉｔｙ９１に対応する携帯電話サービスのネットワークが見つかった場合には、符号Ａ４で示すように、当該ネットワークに対して位置登録を行なうと共に、符号Ａ５で示すように、当該認識番号ＰＬＭＮｉｄｅｎｔｉｔｙ９１を保存する。これにより、制御部８０は、接続すべき通信サービスオペレータ９０が提供する携帯電話サービスを認識することになる。
【００３１】
次に、制御部８０は、符号Ａ６で示すように、この保存した認識番号ＰＬＭＮｉｄｅｎｔｉｔｙ９１に基づいて、当該通信サービスオペレータ９０が要求する端末／ネットワークサービスに必要な機能のみを有効化する。
以上で、電源オン時の機能有効化作業が完了する。
これにより、携帯電話端末１０は、当該通信サービスオペレータ９０が提供する携帯電話サービスを利用して、音声信号やデータ信号の送受信により、通話またはデータ通信を行なうことができると共に、その際、当該通信サービスオペレータ９０が要求する端末／ネットワークサービスに必要な機能を利用することができる。
【００３２】
次に、ネットワーク切り替え時の自動機能有効化作業について、図３を参照して説明する。
図３において、符号Ｂ１で示すように、使用者がキー操作部２０を操作することにより、携帯電話端末１０のネットワーク切り替えが選択される。
これにより、携帯電話端末１０の制御部８０は、符号Ｂ２で示すように、登録されている複数のネットワークの認識番号ＰＬＭＮｉｄｅｎｔｉｔｙ９１のうち、それまで選択されていた認識番号ＰＬＭＮｉｄｅｎｔｉｔｙ９１とは異なる他の一つの認識番号ＰＬＭＮｉｄｅｎｔｉｔｙ９１を選択する。
続いて、制御部８０は、符号Ｂ３で示すように、送受信部６０を制御して、アンテナ７０を介して、新たな認識番号ＰＬＭＮｉｄｅｎｔｉｔｙ９１に対応する携帯電話サービスのネットワークをサーチする。
【００３３】
ここで、制御部８０は、新たな認識番号ＰＬＭＮｉｄｅｎｔｉｔｙ９１に対応する携帯電話サービスのネットワークが見つからなかった場合には、再び符号Ｂ２で示すように、さらに新たな認識番号ＰＬＭＮｉｄｅｎｔｉｔｙ９１を選択して、この認識番号ＰＬＭＮｉｄｅｎｔｉｔｙ９１に対応する携帯電話サービスのネットワークのサーチを繰り返す。
【００３４】
そして、制御部８０は、当該認識番号ＰＬＭＮｉｄｅｎｔｉｔｙ９１に対応する携帯電話サービスのネットワークが見つかった場合には、符号Ｂ４で示すように、当該ネットワークに対して位置登録を行なうと共に、符号Ｂ５で示すように、当該認識番号ＰＬＭＮｉｄｅｎｔｉｔｙ９１を保存する。これにより、制御部８０は、接続すべき通信サービスオペレータ９０が提供する携帯電話サービスを認識することになる。
【００３５】
次に、制御部８０は、符号Ｂ６で示すように、この保存した認識番号ＰＬＭＮｉｄｅｎｔｉｔｙ９１に基づいて、当該通信サービスオペレータ９０が要求する端末／ネットワークサービスに必要な機能のみを有効化する。
以上で、ネットワーク切り替え時の機能有効化作業が完了する。
これにより、携帯電話端末１０は、切り替え後の新たな通信サービスオペレータ９０が提供する携帯電話サービスを利用して、音声信号やデータ信号の送受信により、通話またはデータ通信を行なうことができると共に、その際当該通信サービスオペレータ９０が要求する端末／ネットワークサービスに必要な機能を利用することができる。
【００３６】
次に、手動による機能有効化作業について、図４を参照して説明する。
上述した図２の符号Ａ３または図３の符号Ｂ３で示すサーチ作業において、接続すべき通信サービスオペレータが提供する携帯電話サービスのネットワークが見つからなかった場合には、使用者が手動にて機能有効化作業を行なう。
図４において、符号Ｃ１で示すように、使用者がキー操作部２０を操作することにより、携帯電話端末１０の手動機能有効化が選択される。
これにより、携帯電話端末１０の制御部８０は、使用者により選択されたネットワークの認識番号ＰＬＭＮｉｄｅｎｔｉｔｙ９１に基づいて、符号Ｃ２で示すように、当該認識番号ＰＬＭＮｉｄｅｎｔｉｔｙ９１を保存する。これにより、制御部８０は、接続すべき通信サービスオペレータ９０が提供する携帯電話サービスを認識することになる。
【００３７】
次に、制御部８０は、符号Ｃ３で示すように、この保存した認識番号ＰＬＭＮｉｄｅｎｔｉｔｙ９１に基づいて、当該通信サービスオペレータ９０が要求する端末／ネットワークサービスに必要な機能のみを有効化する。
以上で、手動による機能有効化作業が完了する。
これにより、携帯電話端末１０は、使用者が選択した通信サービスオペレータ９０が提供する携帯電話サービスを利用して、音声信号やデータ信号の送受信により、通話またはデータ通信を行なうことができると共に、その際当該通信サービスオペレータ９０が要求する端末／ネットワークサービスに必要な機能を利用することができる。
【００３８】
このようにして、本発明実施形態による携帯電話端末１０によれば、一つの携帯電話端末１０が、その制御部８０に、複数の通信サービスオペレータが要求する端末／ネットワークサービスに必要な端末の機能をすべて備えており、接続する通信サービスオペレータが提供する携帯電話サービスのネットワークに応じて、その通信サービスオペレータの独自のサービスを利用するために必要な機能のみを有効化することにより、当該通信サービスオペレータが提供する携帯電話サービスを利用するための携帯電話端末とすることができる。
これにより、一種類の携帯電話端末により、その複数の機能を、それぞれ接続すべき通信サービスオペレータ毎に適宜に有効または無効にすることにより、複数の通信サービスオペレータが提供する携帯電話サービスを利用することができる。
したがって、携帯電話端末のメーカは、複数の通信サービスオペレータ毎に、それぞれ専用の携帯電話端末を開発，生産する必要がない。これにより、携帯電話端末の製品の種類を低減することができるので、小品種大量生産によって、開発および生産に要するコストを低減することができる。
また、携帯電話端末の使用者は、通信サービスオペレータを変更したい場合に、携帯電話端末を交換する必要がなく、従来使用している携帯電話端末をそのまま引き続いて使用して、新たな通信サービスオペレータが提供する携帯電話サービスを利用することができる。
【００３９】
上述した実施形態においては、通信サービスオペレータが提供する携帯電話サービスのネットワークとして、例えばＰＬＭＮの場合について説明したが、これに限らず、ネットワークの認識番号ＰＬＭＮｉｄｅｎｔｉｔｙ９１と同様の認識番号が割り当てられていれば、通信衛星を利用した携帯電話サービスについても本発明を適用し得ることは明らかである。
【００４０】
【発明の効果】
以上のように、本発明によれば、本携帯電話端末をある通信サービスオペレータが提供する携帯電話サービスで使用する場合には、制御部が、接続すべきネットワークの認識番号を認識し、この認識番号に基づいて、当該携帯電話サービスのネットワークに対応して各機能を有効または無効にすることにより、当該携帯電話サービスで必要な機能のみを有効にする。これにより、本携帯電話端末を、当該通信サービスオペレータが要求する端末／ネットワークサービスに対応して必要とされる機能を備えた、携帯電話端末にカスタマイズすることができる。
【００４１】
その際、携帯電話端末の制御部に、あらかじめ複数の通信サービスオペレータが要求する端末／ネットワークサービスに対応して必要とされる機能を備えているので、一種類の携帯電話端末を用意しておくことにより、これらの複数の通信サービスオペレータによる携帯電話サービスのための携帯電話端末を提供することができる。
したがって、複数の通信サービスオペレータが提供する携帯電話サービスで使用するための携帯電話端末の種類が低減されるので、携帯電話端末の開発コスト，製造コストが低減されることになる。
【図面の簡単な説明】
【図１】本発明による携帯電話端末の一実施形態の構成を示すブロック図である。
【図２】図１の携帯電話端末の電源オン時の自動機能有効化作業を示すフローチャートである。
【図３】図１の携帯電話端末のネットワーク切り替え時の自動機能有効化作業を示すフローチャートである。
【図４】図１の携帯電話端末の手動による機能有効化作業を示すフローチャートである。
【符号の説明】
１０  携帯電話端末
２０  キー操作部
３０  マイク
４０  スピーカ
５０  ディスプレイ
６０  送受信部
７０  アンテナ
８０  制御部
９０  通信サービスオペレータ
【図１】
0004631226.tif 000002
【図２】
0004631226.tif 000003
【図３】
0004631226.tif 000004
【図４】
0004631226.tif 000005